(57)【要約】【課題】ＲＳＳＩ回路を備えた半導体チップに検出抵抗を内蔵させると、製造ばらつきにより、検出抵抗の抵抗値がばらつき、電圧ＶＲＳＳＩもばらつくという問題がある。【解決手段】ＲＳＳＩ回路を備えた無線通信用半導体集積回路装置の半導体チップ内において、検出抵抗４２によりＲＳＳＩ回路１１からの電流ＩＬＯＧを電圧ＶＲＳＳＩに変換し、その変換された電圧ＶＲＳＳＩを利得可変増幅器４６を介して出力端子４４に出力する。このとき、検出抵抗４２と同時に形成された制御抵抗５４により定電流源５０からの電流が電圧変換され、その変換された電圧により利得可変増幅器４６が検出抵抗４２の抵抗値に製造ばらつきがないときの電圧ＶＲＲＳＩを出力するように制御される。【選択図】　図１
2004119749.tif 000002
【特許請求の範囲】
【請求項１】
入力信号レベルに比例した電流を出力するＲＳＳＩ回路と、ＲＳＳＩ回路の出力電流を電圧に変換する検出抵抗と、検出抵抗により変換された電圧を利得制御する利得可変増幅器と、定電流源からの電流を利得可変増幅器の利得制御信号に変換する制御抵抗とを同一半導体チップに集積し、前記検出抵抗と制御抵抗とを同時に形成した無線通信用半導体集積回路装置。
【発明の詳細な説明】
【０００１】
【発明の属する技術分野】
本発明は、入力信号の受信信号強度を示す信号を生成するＲＳＳＩ（ＲｅｃｅｉｖｅｄＳｉｇｎａｌ　Ｓｔｒｅｎｇｔｈ　Ｉｎｄｉｃａｔｏｒ）回路を備えた無線通信用半導体集積回路装置に関する。
【０００２】
【従来の技術】
携帯電話やＰＨＳ等の受信機能を有する無線通信機には、ＲＳＳＩ回路が付加されることがある（例えば、特許文献１を参照。）。以下、特許文献１に記載のＲＳＳＩ回路について、図２を参照して説明する。図において、１０は、入力端子１２と出力端子２２間にＮ段の利得増幅段１４，１６，１８，２０がカスケード接続されて構成された増幅回路で、入力端子１２に入力された入力信号ＶＩＮの対数すなわちデシベルの大きさに比例した出力信号ＶＯＵＴを生成し出力端子２２から出力する。ＲＳＳＩ回路１１は、増幅回路１０の出力信号を電流に変換する機能をもつ回路で、利得増幅段１４の入力側に接続された検波器２４と、利得増幅段１６，１８，２０のそれぞれの出力側に接続されたＮ個の検波器２６，２８，３０，３２とを有している。検波器２４は、入力信号ＶＩＮの信号強度に比例した電流を出力し、各検波器２６，２８，３０，３２は、各利得増幅段１４，１６，１８，２０の出力信号の信号強度に比例した電流をそれぞれ出力する。各検波器２４，２６，２８，３０，３２の出力側は、出力端子３６に共通接続されており、各検波器２４，２６，２８，３０，３２の出力電流はすべて加算され、ＲＳＳＩ回路１１から電流ＩＬＯＧとして出力される。電流ＩＬＯＧは、検出抵抗３８をＲＳＳＩ回路１１と接地間に接続することによって、電圧ＶＲＳＳＩに変換され、出力端子３６から出力される。この種のＲＳＳＩ回路を備えた無線通信用半導体集積回路装置の製品として、例えば、ＲＦ　ＭＩＣＲＯ・ＤＥＶＩＣＥＳ社の製品「ＲＦ２９０５」が使用され、検出抵抗３８に相当する抵抗を外付けとしている（例えば、非特許文献１参照。）。
【０００３】
【特許文献１】
特開平８−２５６０３３号公報
図１および段落番号「０００３」、「０００４」
【非特許文献１】
“ＴＥＣＨＮＩＣＡＬ　ＮＯＴＥＳ　ＡＮＤ　ＡＲＴＩＣＬＥＳ　ＴＡ００２８　Ｆｉｇ．２”、［ｏｎｌｉｎｅ］、
ＲＦ　ＭＩＣＲＯ　ＤＥＶＩＣＥＳ，Ｉｎｃ．、［平成１４年９月１９日検索］、
インターネット＜ＵＲＬ：ｈｔｔｐ／／ｗｗｗ．ｒｆｍｄ．ｃｏｍ／ＤａｔａＢｏｏｋｓ／ｄｂ９７／ｄｂ９７ｔｏｃ．ｈｔｍ＞
【０００４】
【発明が解決しようとする課題】
ところで、上述のＲＳＳＩ回路を備えた無線通信用半導体集積回路装置に電流ＩＬＯＧを電圧ＶＲＳＳＩに変換する検出抵抗を内蔵させようとした場合、無線通信用半導体集積回路装置を製造するプロセスにおける製造ばらつきにより、検出抵抗３８の抵抗値がばらつくと電圧ＶＲＳＳＩもばらつくため、精度の高い電圧ＶＲＳＳＩを発生させるには、検出抵抗３８を外付けにしなければならないという問題がある。
従って、本発明は上記の問題点を解決するためになされたもので、ＲＳＳＩ回路を備えた無線通信用半導体集積回路装置に電流ＩＬＯＧを電圧ＶＲＳＳＩに変換する検出抵抗を内蔵させても、電圧ＶＲＳＳＩがその検出抵抗の抵抗値のばらつきに影響されない無線通信用半導体集積回路装置を提供することを目的とする。
【０００５】
【課題を解決するための手段】
本発明の無線通信用半導体集積回路装置は、入力信号レベルに比例した電流を出力するＲＳＳＩ回路と、ＲＳＳＩ回路の出力電流を電圧に変換する検出抵抗と、検出抵抗により変換された電圧を利得制御する利得可変増幅器と、定電流源からの電流を利得可変増幅器の利得制御信号に変換する制御抵抗とを同一半導体チップに集積し、検出抵抗と制御抵抗とを同時に形成している。
また、上記無線通信用半導体集積回路装置は、前記制御抵抗が前記検出抵抗に隣接配置されたことを特徴とする。
【０００６】
【発明の実施の形態】
以下に、本発明に基づき、一実施例のＲＳＳＩ回路を備えた無線通信用半導体集積回路装置について図１を参照して説明する。無線通信用半導体集積回路装置は、図２に示す増幅回路１０およびＲＳＳＩ回路１１のほかに、以下の回路を同一半導体チップに内蔵している。電流バス３４と接地端子４０間に検出抵抗４２が接続され、ＲＳＳＩ回路１１と出力端子４４間に利得可変増幅器４６が接続されている。そして、電源端子４８と接地端子４０間に定電流源５０と抵抗５２，５４とが直列接続され、抵抗５２，５４の接続点が利得可変増幅器４６の制御端子に接続され、抵抗５４を利得可変増幅器４６への制御電圧を生成する制御抵抗としている。抵抗５４は、無線通信用半導体集積回路装置を構成する半導体チップ内で、検出抵抗４２と同時に形成することにより、抵抗値の製造ばらつきが同じ傾向となるようにしている。
【０００７】
次に、上記構成の回路の動作について説明する。電流ＩＬＯＧは、検出抵抗４２によって、電圧ＶＲＳＳＩ’に変換され、利得可変増幅器４６に供給される。このとき、定電流源５０から抵抗５２，５４に定電流ＩＣが供給され、抵抗５４によって変換された電圧Ｖａが抵抗５２，５４の接続点から利得可変増幅器４６の制御端子に供給される。抵抗５４と検出抵抗４２とは半導体チップ内で同時に形成されているので、抵抗値の製造ばらつきが同一の傾向を有し、検出抵抗４２の抵抗値が高めにばらつけば抵抗５４の抵抗値も同一の傾向で高めにばらつき、検出抵抗４２の抵抗値が低めにばらつけば抵抗５４の抵抗値も同一の傾向で低めにばらつく。例えば、検出抵抗４２の抵抗値が高めにばらつけば、電圧ＶＲＳＳＩ’も高めにばらつくが、同時に抵抗値が高めにばらついた抵抗５４によって変換された高めにばらついた電圧Ｖａが利得可変増幅器４６の制御端子に供給されることにより、利得可変増幅器４６は、高めにばらついた電圧ＶＲＳＳＩ’が低くなるように、負の利得制御が行われ、検出抵抗４２の抵抗値にばらつきがないときと略等しい電圧ＶＲＳＳＩを出力端子４４に出力する。
【０００８】
以上、説明したように、無線通信用半導体集積回路装置を構成する半導体チップ内で、利得可変増幅器４６への制御電圧を生成する制御抵抗５４を検出抵抗４２と同時に形成している。その結果、検出抵抗４２の抵抗値に製造ばらつきがあっても、検出抵抗４２で変換された電圧は、利得可変増幅器４６で利得が制御され、検出抵抗４２の抵抗値の製造ばらつきに影響されない電圧ＶＲＳＳＩを出力することができる。
【０００９】
【発明の効果】
本発明に係わる無線通信用半導体集積回路装置によれば、ＲＳＳＩ回路の検出抵抗をチップ内に内蔵させても、検出抵抗の抵抗値の製造ばらつきに影響されない電圧ＶＲＳＳＩを出力することができる。
【図面の簡単な説明】
【図１】本発明の一実施例のＲＳＳＩ回路を備えた無線通信用半導体集積回路装置を示す回路図。
【図２】従来のＲＳＳＩ回路を示す回路図。
【符号の説明】
１０　増幅回路
１１　ＲＳＳＩ回路
１４，１６，１８，２０　利得増幅段
２４，２６，２８，３０，３２　検波器
４２　検出抵抗
４６　利得可変増幅器
５０　定電流源
５４　制御抵抗
【図１】
2004119749.tif 000003
【図２】
2004119749.tif 000004